(57)【要約】【課題】インストルメントパネルに取り付けられた機器に、地図情報を表示するディスプレイ装置を取り付けるに当たり、ディスプレイ装置を、機器本体の幅方向と平行な軸心を中心として回転自在とするディスプレイ装着装置を提供する。【解決手段】支持部本体と、機器本体の外部に位置し、前記支持部本体に立設するとともに該支持部本体に対して前記機器本体の幅方向と平行な軸心を中心として回転自在となる回転支持部材と、を備える。【選択図】図３
2013121830.tif 000002
【特許請求の範囲】
【請求項１】
車両のインストルメントパネルに取り付けられる機器本体と、
前記機器本体に取り付けられる支持部本体と、
前記機器本体の外部に位置し、前記支持部本体に立設するとともに該支持部本体に対して前記機器本体の幅方向と平行な軸心を中心として回転自在となる回転支持部材と、を備え、
前記回転支持部材は、地図情報を表示するディスプレイ装置を脱着自在に支持することを特徴とするディスプレイ装着装置。
【請求項２】
前記機器本体の幅方向に沿って互いに間隔をあけて配置されるとともに、前記機器本体に固定される複数の固定部をさらに備え、
前記回転支持部材は、前記間隔をあけて配置された固定部の間に位置するように立設されることを特徴とする請求項１記載のディスプレイ装着装置。
【発明の詳細な説明】
【技術分野】
【０００１】
本発明は、自動車などのインストルメントパネルに取り付けられた機器に取り付けられて、さらに地図情報を表示するディスプレイ装置を脱着自在に支持するディスプレイ装着装置に関する。
【背景技術】
【０００２】
従来、自動車のインストルメントパネルに取り付けられた機器としてのナビゲーション装置１０１に、地図情報を表示するディスプレイ装置１０２を取り付ける際には、図１に示された支持台１０３を用いてきた。
【０００３】
図１に例示された支持台１０３は、支柱１０４と、台部１０５とを備えている。支柱１０４は、く字状に屈曲した棒状に形成され、かつ一端部がナビゲーション装置１０１の幅方向の一端部に取り付けられるとともに、他端部が水平方向と平行に配置される。台部１０５は、支柱１０４の他端部に取り付けられて、前記ディスプレイ装置１０２が取り付けられる。
【０００４】
前述した支持台１０３は、支柱１０４の一端部がナビゲーション装置１０１に取り付けられ、台部１０５即ち支柱１０４の他端部にディスプレイ装置１０２を取り付けることで、当該ディスプレイ装置１０２を支持する。
【０００５】
前述した従来の支持台１０３は、支柱１０４の一端部がナビゲーション装置１０１に取り付けられ、支柱１０４の他端部にディスプレイ装置１０２を取り付けることで、当該支柱１０４が所謂片持ちの状態でナビゲーション装置１０１に取り付けられている。このため、前述した支持台１０３を用いると、自動車の走行中の振動やエンジンなどの振動によって、ディスプレイ装置１０２が振動してしまい、当該ディスプレイ装置１０２が他の物品に接触すると、異音を生じる恐れがあり望ましくない。
【発明の概要】
【発明が解決しようとする課題】
【０００６】
本発明は、インストルメントパネルに取り付けられた機器に、地図情報を表示するディスプレイ装置を取り付けるに当たり、ディスプレイ装置を、機器本体の幅方向と平行な軸心を中心として回転自在とすることを目的とする。
【課題を解決するための手段】
【０００７】
前記課題を解決し目的を達成するために、請求項１に記載の本発明のディスプレイ装置は、車両のインストルメントパネルに取り付けられる機器本体と、前記機器本体に取り付けられる支持部本体と、前記機器本体の外部に位置し、前記支持部本体に立設するとともに該支持部本体に対して前記機器本体の幅方向と平行な軸心を中心として回転自在となる回転支持部材と、を備え、前記回転支持部材は、地図情報を表示するディスプレイ装置を脱着自在に支持することを特徴としている。
【図面の簡単な説明】
【０００８】
【図１】従来の支持台などを示す斜視図である。
【図２】本発明の一実施例にかかるディスプレイ装着装置のインパネに取り付けられた状態を示す斜視図である。
【図３】図２に示されたディスプレイ装着装置の構成を示す斜視図である。
【図４】図３に示されたディスプレイ装着装置のナビゲーション装置のシャーシと支持台を示す背面側からみた斜視図である。
【図５】図３に示されたディスプレイ装着装置のナビゲーション装置のシャーシと支持台を示す正面側からみた斜視図である。
【図６】図３に示されたディスプレイ装着装置のナビゲーション装置に支持台が取り付けられた状態を示す斜視図である。
【図７】図６に示されたディスプレイ装着装置の支持台にディスプレイ装置が取り付けられた状態を示す斜視図である。
【発明を実施するための形態】
【０００９】
以下、本発明の一実施形態にかかるディスプレイ装着装置を説明する。本発明の一実施形態にかかる支持台は、機器に取り付けられる固定片を互いに間隔をあけて少なくとも二つ設けることで、ディスプレイ装置を支持する支持部を所謂両持ちで支持するとともに、更に固定片を機器のシャーシに直接固定することで、固定片即ち支持台を強固に機器に固定している。こうすることで、支持台や当該支持台に支持されるディスプレイ装置が振動することを防止して、異音が生じることを防止している。
【００１０】
また、固定片が機器の幅方向に沿って間隔をあけて配置されても良い。この場合、固定片が機器の厚み方向に沿って間隔をあけている場合よりも当該固定片間の間隔を大きくすることができ、支持台をより強固に機器に取り付けることができる。
【００１１】
さらに、固定片が機器の幅方向の両端に取り付けられても良い。この場合、固定片間の間隔をより大きくすることができるので、支持台をより強固に機器に取り付けることができる。
【００１２】
また、ディスプレイ装着装置は、前述した支持台を備えているので、ディスプレイ装置が振動することを防止でき、異音が生じることを防止できる。
【００１３】
さらに、ディスプレイ装着装置は、支持台に加えて、意匠パネルを備えても良い。この場合、支持台と意匠パネルとを選択して用いることができるので、ディスプレイ装置の取付位置を種々変更して、多種多様な位置に他の機器を取り付けることができる。
【００１４】
また、ディスプレイ装着装置は、機器に機能部を設け、支持台と意匠パネルとには機能部を露出させる露出部を設けても良い。この場合、支持台と意匠パネルの機能を簡略化することができ、かつ、機能部を機器のみに設けるので、当該機能部の複雑化を防止できる。
【実施例】
【００１５】
以下、本発明の一実施例にかかるディスプレイ装着装置１を、図２ないし図７に基づいて説明する。ディスプレイ装着装置１は、図３に示すように、機器としてのナビゲーション装置２と、意匠パネル３と、図示しない支持具と、支持台４と、ディスプレイ装置５（図６などに示す）とを備えている。
【００１６】
ナビゲーション装置２は、図２に示すように、移動体としての自動車のインストルメントパネル（以下、単に、インパネと呼ぶ）６の正面に取り付けられるか、または、インパネ６の上面６ａに取り付けられる。ナビゲーション装置２は、図４及び図５に示すように、当該ナビゲーション装置２の外殻を構成する機器本体としてのシャーシ７と、図示しないナビゲーションユニットとを備えている。
【００１７】
シャーシ７は、板金などで構成され、かつ、図４及び図５に示すように、底板８と、底板の外縁から立設した複数の側板９と、底板８に間隔をあけて相対する天井板１０とを備えて、扁平な箱状に形成されている。シャーシ７の図３中手前側の位置する一つの面（以下、前面と呼ぶ）７ａには、当該シャーシ７にＤＶＤ（Digital Versatile Disc）−ＲＯＭなどの地図情報を記録した記録媒体を出し入れするための出入口部１１が設けられている。
【００１８】
出入口部１１は、前面７ａを貫通した横長に扁平に形成された開口部１２と、当該開口部１２の外縁から立設した筒状部１３とを備えている。勿論、筒状部１３は、前面７ａから凸に形成されている。この出入口部１１は、ナビゲーション装置２のＤＶＤ−ＲＯＭをシャーシ７に出し入れするという一つの機能をつかさどる機能部をなしている。即ち、シャーシ７の前面７ａには、機能部としての出入口部１１が設けられている。また、本発明でいう機能部とは、ナビゲーション装置２の種々の機能のうちいずれかをつかさどるものをいう。
【００１９】
ナビゲーションユニットは、シャーシ７内に収容されかつＤＶＤドライブやＧＰＳ（Global Positioning System）受信機などの各種の機能部品で構成されている。ナビゲーションユニットは、シャーシ７内に収容されたＤＶＤ−ＲＯＭから読み出した地図情報と、ＧＰＳ受信機がＧＰＳ信号を受信して得られた位置情報とをディスプレイ装置５に向かって出力して、当該ディスプレイ装置５に表示させる。
【００２０】
なお、以下、出入口部１１を通してシャーシ７に出し入れされるＤＶＤ−ＲＯＭの表面に平行でかつ当該出入口部１１の長手方向に平行な図２中の矢印Ｘをナビゲーション装置２の幅方向と記し、前記ＤＶＤ−ＲＯＭの表面に平行でかつ当該出入口部１１の長手方向に対して直交する矢印Ｙをナビゲーション装置２の奥行き方向と記し、前記幅方向Ｘと奥行き方向Ｙとの双方に対して直交する矢印Ｚをナビゲーション装置２の厚み方向と記す。
【００２１】
また、前面７ａの幅方向Ｘの両端には、図５に示すように、それぞれ、スリット１４（図５には一方のみ示す）が設けられている。スリット１４は、前面７ａを貫通しているとともに、厚み方向Ｚに沿って直線状に延在している。スリット１４は、意匠パネル３と支持台４の後述する固定片１７，２１を内側に通すことができる。また、シャーシ７内において、スリット１４の近傍には、図４に示すように、ガイド部材１５が設けられている。ガイド部材１５は、板金が折り曲げられるなどして得られ、シャーシ７の幅方向Ｘに沿って相対する側板９との間に固定片１７，２１を挟み込んで、当該固定片１７，２１を位置決めする。
【００２２】
意匠パネル３は、絶縁性を有する合成樹脂で構成されている。意匠パネル３は、図３に示すように、扁平な平板状の意匠部としての本体部１６と、当該本体部１６の長手方向の両端から立設した一対の固定片１７とを備えている。本体部１６は、その長手方向が幅方向Ｘと平行な状態で前面７ａに重ねられる。
【００２３】
固定片１７は、平板状に形成され、かつ本体部１６の長手方向即ちナビゲーション装置２の幅方向Ｘに沿って互いに間隔をあけて平行に配置されている。このため、本体部１６は、一対の固定片１７同士を連結している。固定片１７は、スリット１４内に収容される。固定片１７は、スリット１４内に収容されると、側板９に重なる。固定片１７は、側板９を貫通したねじ１８がねじ込まれることで、側板９即ちシャーシ７（ナビゲーション装置２）の幅方向Ｘの両端に直接固定される。
【００２４】
また、本体部１６には、露出部としての露出孔１９が設けられている。露出孔１９は、勿論、本体部１６を貫通しているとともに、固定片１７がスリット１４内に挿入されかつ本体部１６が前面７ａに重ねられると、内側に筒状部１３即ち出入口部１１を位置付けて、当該筒状部１３即ち出入口部１１を外部に露出させる。
【００２５】
前述した意匠パネル３は、固定片１７がスリット１４内に収容されて側板９に重ねられ、かつ本体部１６が前面７ａに重ねられるとともに、側板９を貫通したねじ１８が固定片１７にねじ込まれることで、シャーシ７即ちナビゲーション装置２に取り付けられる。
【００２６】
支持具は、インパネ６の上面６ａに取り付けられて、ディスプレイ装置５を支持する。支持具には、ディスプレイ装置５に電力や各種の信号を供給するための後述するコネクタ２０が取り付けられる。
【００２７】
支持台４は、図３及び図４に示すように、一対の固定片２１と、支持部２２とを備えている。固定片２１は、意匠パネル３の固定片１７と同形状の平板状に形成され、かつナビゲーション装置２の幅方向Ｘに沿って互いに間隔をあけて平行に配置されている。固定片２１は、スリット１４内に収容される。固定片２１は、スリット１４内に収容されると、側板９に重なる。固定片２１は、側板９を貫通したねじ１８がねじ込まれることで、側板９即ちシャーシ７（ナビゲーション装置２）の幅方向Ｘの両端に直接固定される。
【００２８】
支持部２２は、図３及び図５に示すように、支持部本体２３と、回転支持部材２４と、を備えている。支持部本体２３は、意匠パネル３の本体部１６と同形状の帯板状に形成され、かつその長手方向の両端から固定片２１を立設させた状態で、当該一対の固定片２１同士を連結している。支持部本体２３は、その長手方向が幅方向Ｘと平行な状態で前面７ａに重ねられる。即ち、固定片２１は、ナビゲーション装置２の幅方向Ｘに沿って互いに間隔をあけて設けられているとともに、ねじ１８によって、シャーシ７即ちナビゲーション装置２の幅方向Ｘの両端に直接取り付けられる。
【００２９】
また、支持部本体２３には、意匠パネル３の露出孔１９と構成が等しい露出部としての露出孔２５が設けられている。この露出孔２５も、前述した露出孔１９と同様に、勿論、支持部本体２３を貫通しているとともに、固定片２１がスリット１４内に挿入されかつ支持部本体２３が前面７ａに重ねられると、内側に筒状部１３即ち出入口部１１を位置付けて、当該筒状部１３即ち出入口部１１を外部に露出させる。
【００３０】
回転支持部材２４は、平板状に形成され、かつ支持部本体２３に幅方向Ｘと平行な軸芯を中心として回転自在に支持されている。回転支持部材２４は、図５中の下端部を中心として回転自在に支持部本体２３に支持されている。また、回転支持部材２４には、図３に示すように、ディスプレイ装置５に電力や各種の信号を供給するためのコネクタ２０が取り付けられている。勿論、このコネクタ２０には、自動車の車体側やナビゲーション装置２からディスプレイ装置５に電力や各種の信号を供給するためのケーブル２６が取り付けられている。
【００３１】
前述した支持台４は、固定片２１がスリット１４内に収容されて側板９に重ねられ、かつ支持部本体２３が前面７ａに重ねられるとともに、側板９を貫通したねじ１８が固定片２１にねじ込まれることで、シャーシ７即ちナビゲーション装置２に取り付けられる。そして、支持台４は、支持部２２の回転支持部材２４にディスプレイ装置５が取り付けられるとともに、当該回転支持部材２４の前述した軸芯回りの向きが適宜調整されて用いられる。
【００３２】
ディスプレイ装置５は、液晶ディスプレイ（Liquid Crystal Display）などからなりかつ文字や画像などの情報を運転者などに向かって表示して視認させるための表示面としての表示パネル２７と、この表示パネル２７を収容する筐体部材２８などを備えている。ディスプレイ装置５は、その筐体部材２８の背面が回転支持部材２４に重ねられて、当該回転支持部材２４即ち支持台４に取り付けられる（支持される）。勿論、ディスプレイ装置５は、回転支持部材２４即ち支持台４に取り付けられると、前述したコネクタ２０を介してケーブル２６と接続する。
【００３３】
前述したディスプレイ装着装置１は、インパネ６の上面６ａにディスプレイ装置５を設置する際には、支持具にコネクタ２０を取り付けて、当該支持具をインパネ６の上面６ａに取り付けるとともに、更に、支持具にディスプレイ装置５を支持する。そして、ナビゲーション装置２の前面７ａに意匠パネル３を取り付ける。
【００３４】
また、前述したディスプレイ装着装置１は、インパネ６に取り付けられるナビゲーション装置２にディスプレイ装置５を設置する際には、まず、図６に示すように、ナビゲーション装置２の前面７ａに支持台４を取り付けた後、図示しないブラケットを用いて、支持台４が取り付けられたナビゲーション装置２をインパネ６の正面に取り付ける。そして、支持台４の支持部２２にディスプレイ装置５を取り付ける。そして、図７中の一点鎖線などに示すように、軸芯回りに回転支持部材２４即ちディスプレイ装置５の向きを変更して用いられる。
【００３５】
このように、本実施例のディスプレイ装着装置１では、インパネ６の上面６ａとインパネ６の正面とのいずれかにディスプレイ装置５を設置するかを選択することができ、当該選択に応じて、支持具及び意匠パネル３と、支持台４とのうちいずれかを用いることとなる。即ち、本実施例のディスプレイ装着装置１では、支持具及び意匠パネル３と、支持台４とが同時に用いられることは無い。
【００３６】
本実施例によれば、ナビゲーション装置２に取り付けられる固定片２１を互いに間隔をあけて一対設けているので、ディスプレイ装置５を支持する支持部２２を所謂両持ちで支持するとともに、更に固定片２１をナビゲーション装置２のシャーシ７に直接固定するので、固定片２１即ち支持台４を強固にナビゲーション装置２に固定できる。したがって、支持台４や当該支持台４に支持されるディスプレイ装置５が、自動車の走行中の振動やエンジンの振動によって、振動することを防止して、他の物品と接触して異音が生じることを防止できる。
【００３７】
また、固定片２１がナビゲーション装置２の幅方向Ｘに沿って間隔をあけて配置されているので、固定片２１がナビゲーション装置２の厚み方向Ｚに沿って間隔をあけている場合よりも当該固定片２１間の間隔を大きくすることができ、支持台４をより強固にナビゲーション装置２に取り付けることができる。
【００３８】
さらに、固定片２１がナビゲーション装置２の幅方向Ｘの両端に取り付けられている。この場合、固定片２１間の間隔をより大きくすることができるので、支持台４をより強固にナビゲーション装置２に取り付けることができる。
【００３９】
また、ディスプレイ装着装置１は、前述した支持台４を備えているので、ディスプレイ装置５が振動することを防止でき、異音が生じることを防止できる。
【００４０】
さらに、ディスプレイ装着装置１は、支持台４に加えて、意匠パネル３を備えているので、支持台４と意匠パネル３とを選択して用いることができるので、ディスプレイ装置５の取付位置を種々変更して、多種多様な位置にディスプレイ装置５を取り付けることができる。
【００４１】
また、ディスプレイ装着装置１は、ナビゲーション装置２に機能部としての出入口部１１を設け、支持台４と意匠パネル３とに出入口部１１を露出させる露出孔１９，２５を設けているので、支持台４と意匠パネル３の機能を簡略化することができ、かつ、出入口部１１をナビゲーション装置２のみに設けるので当該出入口部１１の複雑化を防止できる。
【００４２】
前述した実施例では、固定片１７，２１を幅方向Ｘに沿って互いに間隔をあけてそれぞれ一対設け、さらに、これら固定片１７，２１を幅方向Ｘの両端に設けている。しかしながら、本発明では、固定片１７，２１を二つ以上即ち少なくとも二つ設ければよい。また、これらの固定片１７，２１を幅方向Ｘに限らず、例えば、厚み方向Ｚに間隔をあけて設けても良いとともに、端以外に設けても良い。
【００４３】
また、前述した実施例では、機能部として出入口部１１を示しているが、本発明では、例えば各種のスイッチや表示パネルなどの他の機能部を用いても良いことは勿論である。
【００４４】
さらに、前述した実施例では、ナビゲーション装置２に支持台４と意匠パネル３との双方を取付可能としているが、本発明では、ナビゲーション装置２に支持台４のみを取付可能にしても良い。
【００４５】
また、前述した実施例では、機器としてナビゲーション装置２を示しているが、本発明では、ナビゲーション装置２以外の種々の機器を用いても良いことは勿論である。
【００４６】
前述した実施例によれば、以下のディスプレイ装着装置１が得られる。
【００４７】
（付記） 車両のインストルメントパネル６に取り付けられるナビゲーション装置２と、
前記ナビゲーション装置２に取り付けられる支持部本体２３と、
前記ナビゲーション装置２の外部に位置し、前記支持部本体２３に立設するとともに該支持部本体２３に対して前記ナビゲーション装置２の幅方向と平行な軸心を中心として回転自在となる回転支持部材２４と、を備え、
前記回転支持部材２４は、地図情報を表示するディスプレイ装置５を脱着自在に支持することを特徴とするディスプレイ装着装置１。
【００４８】
付記によれば、ナビゲーション装置２の外部に位置し、支持部本体２３に立設するとともに該支持部本体２３に対して前記ナビゲーション装置２の幅方向と平行な軸心を中心として回転自在となる回転支持部材２４を備えているから、ディスプレイ装置を、機器本体の幅方向と平行な軸心を中心として回転自在とすることができる。
【００４９】
なお、前述した実施例は本発明の代表的な形態を示したに過ぎず、本発明は、実施例に限定されるものではない。即ち、本発明の骨子を逸脱しない範囲で種々変形して実施することができる。
【符号の説明】
【００５０】
１    ディスプレイ装着装置
２    ナビゲーション装置（機器）
３    意匠パネル
４    支持台
５    ディスプレイ装置
６    インパネ（インストルメントパネル）
７    シャーシ
７ａ  前面（一つの面）
１１  出入口部（機能部）
１６  本体部（意匠部）
１７  固定片
１９  露出孔（露出部）
２１  固定片
２２  支持部
２４  回転支持部材
２５  露出孔（露出部）
Ｘ    幅方向
【図１】
2013121830.tif 000003
【図２】
2013121830.tif 000004
【図３】
2013121830.tif 000005
【図４】
2013121830.tif 000006
【図５】
2013121830.tif 000007
【図６】
2013121830.tif 000008
【図７】
2013121830.tif 000009